(57)【要約】【課題】面格子本体を窓の外側へ水平移動させることにより、窓との間に上下同じ幅の隙間を形成するようにし、面格子本体を出し入れするだけでよいので作業性に優れ、しかも、軽い力で面格子本体の出し入れ操作が行える水平移動面格子を提供する。【解決手段】両側の固定用縦桟５間に納まる面格子本体３の両側でそれぞれ上下二箇所の位置にリンク機構４を設け、このリンク機構４が、固定用縦桟５に沿って固定され、下部に上下方向の長孔１８が設けられたベース杆１４と、下端がこの長孔１８に沿って上下動可能に枢止結合され、上端が面格子本体３の縦桟９に枢止結合された揺動杆１５と、上端をベース杆１４の上部に枢止結合し、下端を上記揺動杆１５の途中に枢止結合した揺動規制杆１６とで形成され、面格子本体３を前方に押し出すと、回動する揺動規制杆１６により揺動杆１５が前方への揺動角度の変化と共に上昇して面格子本体３を水平に移動させることになる。【選択図】  図５
2004176416.tif 000002
【特許請求の範囲】
【請求項１】
建物側に取り付ける両側の固定用縦桟と、両側の固定用縦桟間に納まる面格子本体と、この面格子本体の両側でそれぞれ上下二箇所の位置において、上記面格子本体の縦桟と固定用縦桟の間に設けられ、固定用縦桟に対して面格子本体を前後に移動可能となるよう支持するリンク機構とからなり、上記リンク機構が、固定用縦桟の上下方向に沿って固定され、下部に上下方向の長孔が設けられたベース杆と、下端がベース杆の長孔部分に、この長孔に沿って上下動可能に枢止結合され、上端が面格子本体の縦桟に枢止結合された揺動杆と、上端をベース杆の上部に枢止結合し、下端を上記揺動杆の途中に枢止結合した揺動規制杆とで形成され、両側の固定用縦桟間に面格子本体が納まる状態で、揺動杆と揺動規制杆が垂直になり、面格子本体を前方に押し出すと、回動する揺動規制杆により揺動杆が前方への揺動角度の変化と共に上昇して面格子本体を水平に移動させるようになっている水平移動面格子。
【発明の詳細な説明】
【０００１】
【発明の属する技術分野】
この発明は、建物の窓等に防犯や採光の調整、プライバシー保護等の目的で取り付ける水平移動面格子に関する。
【０００２】
【従来の技術】
窓の室外側に取り付ける面格子において、建物に固定化して取り付けるタイプの面格子は、窓の室外側に位置する網戸の清掃や窓ガラスの清掃が行いにくいという問題がある。
【０００３】
従来、このような問題を解決するため、面格子本体を外側に跳ね上げ、窓との間に隙間を確保することで、網戸の出し入れができるようにした跳ね上げ式の面格子が、例えば、特開平１０−２０５２３９号によって提案されている。
【０００４】
【発明が解決しようとする課題】
しかし、このような跳ね上げ式の面格子は、面格子本体の上部を建物に枢止し、面格子本体の下部を外方に押し出すことで傾斜させるようになっているため、窓との間に生じる隙間は、上部が狭く下部が広い傾斜状になり、窓外枠の鴨居部分に対する網戸上部の係脱作業が行いにくいだけでなく、跳ね上げた面格子本体は垂下位置に戻ろうとするため、面格子本体を跳ね上げ状態に維持するための固定手段が必要になり、この固定手段の固定と解除の操作を余分に行わなければならないという不便がある。
【０００５】
そこで、この発明の課題は、面格子本体を窓の外側へ水平移動させることにより、窓との間に上下同じ幅の隙間を形成するようにし、窓外枠の鴨居部分に対する網戸上部の係脱作業が容易になり、かつ、面格子本体を出し入れするだけでよいので作業性に優れ、しかも、軽い力で面格子本体の出し入れ操作が行える水平移動面格子を提供することにある。
【０００６】
【課題を解決するための手段】
上記のような課題を解決するため、この発明は、建物側に取り付ける両側の固定用縦桟と、両側の固定用縦桟間に納まる面格子本体と、この面格子本体の両側でそれぞれ上下二箇所の位置において、上記面格子本体の縦桟と固定用縦桟の間に設けられ、固定用縦桟に対して面格子本体を前後に移動可能となるよう支持するリンク機構とからなり、上記リンク機構が、固定用縦桟の上下方向に沿って固定され、下部に上下方向の長孔が設けられたベース杆と、下端がベース杆の長孔部分に、この長孔に沿って上下動可能に枢止結合され、上端が面格子本体の縦桟に枢止結合された揺動杆と、上端をベース杆の上部に枢止結合し、下端を上記揺動杆の途中に枢止結合した揺動規制杆とで形成され、両側の固定用縦桟間に面格子本体が納まる状態で、揺動杆と揺動規制杆が垂直になり、面格子本体を前方に押し出すと、回動する揺動規制杆により揺動杆が前方への揺動角度の変化と共に上昇して面格子本体を水平に移動させるようになっている構成を採用したものである。
【０００７】
上記両側の固定用縦桟は、角筒状の型材を用いて形成され、上端部を同じく角筒状の型材を用いた固定用横桟で結合され、窓外枠に金具を用いて固定される。また、ベース杆と揺動杆及び揺動規制杆は、それぞれ帯状の金属板を用い、ベース杆は上下端部を固定用縦桟にビス止めやカシメによって固定し、揺動杆はその下端がベース杆の長孔部分にピンで、この長孔に沿って上下動可能に枢止結合され、上端は面格子本体の縦桟における外面に設けた固定金具に枢止されている。
【０００８】
上記面格子本体が固定用縦桟間に納まる後退位置にあるとき、揺動杆と揺動規制杆はベース杆に重なる垂直になり、揺動杆と揺動規制杆で面格子本体を吊り下げ状に支持し、面格子本体を窓の外方に押し出すと、揺動杆は上端が引き出されることで下端を支点に外方へ傾動し、同時に揺動規制杆も外方へ傾動し、揺動規制杆の下端と揺動杆の枢止点は円運動により上昇する。
【０００９】
上記揺動杆の後端は長孔によって上下動のみするように規制されているので、揺動杆は、外方への傾動時に上昇移動が加わる複合運動を行い、この複合運動が面格子本体を水平に移動させることになる。
また、外方に押し出した面格子本体を引き込むときも、揺動杆は、上記と同様の複合運動を行うことで水平に移動することになる。
【００１０】
【発明の実施の形態】
以下、この発明の実施の形態を図示例と共に説明する。
【００１１】
図示のように、水平移動面格子Ａは、建物の窓の外側開口部内に納まるよう窓外枠１に固定する外枠２と、この外枠２内に納まる面格子本体３と、面格子本体３の両側で上下二箇所の位置にそれぞれ配置され、外枠２への取り付け状態で面格子本体３を前後に移動可能となるよう支持する合計四個のリンク機構４とで形成されている。
【００１２】
上記外枠２は、アルミのような角筒状の型材を用いた両側の固定用縦桟５、５を、上端部を同じく角筒状の型材を用いた固定用横桟６で結合して形成され、図４のように、窓外枠１のフランジ部７に取り付け金具８を用いてビス止めにより固定される。
【００１３】
上記面格子本体３は、アルミ製の型材を用いた両側の縦桟９、９と上下の横桟１０、１０で外枠２内に納まる大きさの矩形状枠体を組み、幅方向の中央で上下の横桟１０、１０間に縦方向の中桟１１を設け、両側の縦桟９、９と中桟１１間に多数枚のルーバ１２を、それぞれ回転自在となるよう上下に一定間隔の配置で架設し、この上下のルーバ１２をレバーやリンク等を用いた周知の連動機構で連動し、上下のルーバ１２が、閉鎖時に上下の一部が互いに重なり合って起立し、開放時には水平となって上下間に空間を形成するように組み立てられている。
【００１４】
この面格子本体３における両側の縦桟９、９の上下全長には、外面から側方に張り出し、外枠２内に面格子本体３を収めた状態で、固定用縦桟５、５の外面に重なるフランジ１３が設けられている。
【００１５】
上記リンク機構４は、図７のように、それぞれ帯状の金属板を用いたベース杆１４と揺動杆１５及び揺動規制杆１６によって形成され、ベース杆１４は、上下端部に固定用縦桟側５に向けて屈曲する取り付け部１７が設けられ、この取り付け部１７を固定用縦桟５にビス止めやカシメによって固定することにより、ベース杆１４は、上下方向に沿って垂直に固定され、その下部に上下方向の長孔１８が設けられている。
【００１６】
また、揺動杆１５は、下端がベース杆１４の長孔１８の部分に、この長孔１８に沿って上下動可能にピン１９で枢止結合され、上端が面格子本体３の縦桟９における外面に設けた固定金具２０にピン２３で枢止結合されている。
【００１７】
更に、揺動規制杆１６は、上端をベース杆１４の上部にピン２１で枢止結合し、下端を上記揺動杆１５の途中にピン２２で枢止結合されている。
【００１８】
図３のように、面格子本体３が外枠２内に収まる後退位置にある状態で、ベース杆１４に揺動杆１５と揺動規制杆１６が垂直になり、揺動杆１５と揺動規制杆１６で面格子本体３を吊り下げ状に支持し、図５のように、面格子本体３を前方に押し出すと、揺動杆１５は上端が引き出されることで下端のピン１９を支点に外方へ傾動し、同時に揺動規制杆１６も外方へ傾動し、揺動規制杆１６の下端と揺動杆１５の枢止点は円運動により上昇する。
【００１９】
このとき、揺動杆１５の後端は長孔１８とピン１９によって上下動のみするように規制されているので、揺動杆１５は、外方への傾動時に上昇移動が加わる複合運動を行い、この複合運動が面格子本体３を水平に移動させることになる。
【００２０】
上記面格子本体３を前方に押し出したとき、揺動杆１５の下端のピン１９が長孔１８の上端に当接し、揺動規制杆１６が揺動杆１５の途中とベース杆１４の上端部とで引っ張られることで、面格子本体３を支持することになり、合計四個のリンク機構４により、面格子本体３は垂直の姿勢が維持される。
【００２１】
ちなみに、リンク機構４における各部の寸法条件を、例えば、揺動杆１５の上下枢止点間の長さを２３０ｍｍ、揺動規制杆１６の両端枢止点間の長さを８０ｍｍ、揺動杆１５の下端ピン１９と揺動杆１５への揺動規制杆１６の枢止点までの距離を９０ｍｍ、長孔１８の上端から揺動規制杆１６の上端をベース杆１４に枢止するピン２１までの距離を１２５ｍｍに設定すると、面格子本体３を約１２０ｍｍだけ水平移動させることができることになる。
【００２２】
この発明の水平移動面格子は、上記のような構成であり、図３と図４は、建物の窓の室外側に取り付けた外枠２内に、面格子本体３を収めた通常の使用状態を示し、各リンク機構４は垂直となって揺動杆１５と揺動規制杆１６で面格子本体３を吊り下げ状に支持し、固定用縦桟５の外面にフランジ１３が重なっている。
【００２３】
なお、図示省略したが、外枠２の固定用縦桟５に回動レバー式の引き込みロック機構を取り付け、面格子本体３が外枠２内に収まる状態で、ロック機構を操作して面格子本体３に固定したピンにカム溝を係止させ、フランジ１３が固定用縦桟５の外面に圧接するように面格子本体３を室内側に向けて引き込むことで、外枠２に対する面格子本体３の固定化を図るようにすればよい。
【００２４】
上記の状態で、窓に嵌めた網戸を清掃するために取り外したり、窓ガラスの外面を清掃する場合は、上記ロック機構を解除して面格子本体３を室内側から室外側に向けて押すようにすればよく、各リンク機構４の作用によって面格子本体３は水平に移動する。
【００２５】
即ち、面格子本体３を室外側に向けて押すと、揺動杆１５は上端が引き出されることで下端のピン１９を支点に外方へ傾動し、このとき、途中に枢止された揺動規制杆１６で傾動に条件を与えることになり、この揺動規制杆１６は同時に外方へ傾動し、揺動規制杆１６の下端と揺動杆１５のピン２２による枢止点は円運動することにより揺動杆１５は上昇することになり、従って、揺動杆１５は、外方への傾動時に上昇移動が加わる複合運動を行い、揺動杆１５の上端と面格子本体３を枢止するピン２３の移動軌跡は水平となり、上記複合運動で面格子本体３は垂直姿勢のまま水平に移動することになる。
【００２６】
このように、面格子本体３を室外側に向けて押しだすと、窓ガラスと面格子本体３の間隔が拡大し、しかも、面格子本体３は垂直姿勢のまま水平に移動することにより、間隔は上下均等に拡大し、広くなった間隔から窓枠に対する網戸の取り外しや取り付けが簡単に行えると共に、この間隔から窓ガラスの清掃も容易に行えることになる。
【００２７】
ちなみに、外方に押し出した面格子本体３を引き込むとき、面格子本体３が外枠２内に納まる位相よりも下がっていると、面格子本体３の重量を引き上げるために、引き込みに大きな力が必要になるが、この発明の面格子は、面格子本体３を引き込むときも、揺動杆１５が上記と同様の複合運動を行うことで面格子本体３は水平に移動することになり、軽い力で面格子本体３を外枠２内に収めることができる。
【００２８】
【発明の効果】
以上のように、この発明によると、建物側に取り付ける両側の固定用縦桟内に納まる面格子本体を、この面格子本体の両側でそれぞれ上下二箇所の位置においてリンク機構で支持し、上記リンク機構をベース杆と揺動杆及び揺動規制杆とで形成し、面格子本体を前方に押し出すと、回動する揺動規制杆により揺動杆が前方への揺動角度の変化と共に上昇して面格子本体を水平に移動させるようにしたので、面格子本体の押し出し状態で、窓との間に上下同じ幅の隙間を形成することができ、これにより、窓外枠の鴨居部分に対する面格子本体の上部の係脱作業が容易になり、しかも、網戸や窓ガラスの清掃時に面格子本体を押す又は引くだけの操作で出し入れすればよいので作業性に優れたものとなる。
【００２９】
また、面格子本体が水平移動するので軽い力で面格子本体の出し入れ操作が行えることになり、力の弱い女性でも網戸や窓ガラスの清掃が手軽に実施することができる。
【図面の簡単な説明】
【図１】この発明に係る水平移動面格子の正面図
【図２】同上の面格子本体を引き出した状態を示す側面図
【図３】同上の面格子本体を格納した状態を拡大して示す縦断側面図
【図４】同上の面格子本体を格納した状態を拡大して示す横断平面図
【図５】同上の面格子本体を引き出した状態を拡大して示す縦断側面図
【図６】同上の面格子本体を引き出した状態を拡大して示す横断平面図
【図７】リンク機構の分解した斜視図
【符号の説明】
１    窓外枠
２    外枠
３    面格子本体
４    リンク機構
５    固定用縦桟
６    固定用横桟
７    フランジ部
８    取り付け金具
９    縦桟
１０  横桟
１１  中桟
１２  ルーバ
１３  フランジ
１４  ベース杆
１５  揺動杆
１６  揺動規制杆
１７  取り付け部
１８  長孔
１９  ピン
２０  固定金具
２１  ピン
２２  ピン
２３  ピン
【図１】
2004176416.tif 000003
【図２】
2004176416.tif 000004
【図３】
2004176416.tif 000005
【図４】
2004176416.tif 000006
【図５】
2004176416.tif 000007
【図６】
2004176416.tif 000008
【図７】
2004176416.tif 000009